(57)【要約】【課題】電気温水器やヒ−ポン給湯機の貯湯温水を利用して暖房を行っても、良好な暖房を継続することが出来る暖房装置を提供する。【解決手段】電気ヒ−タやヒ−トポンプユニットなどの熱源５で加熱した温水を貯湯する貯湯タンク１と、この貯湯タンク１内の温水を直接或いは熱交換器１３を介して間接的に利用して暖房を行う第一暖房手段１２を構成したもので、前記第一暖房手段１２とは別系統の第二暖房手段１８を備え、第一暖房手段１２の能力低下を検知して第二暖房手段１８を運転開始させるヘルプガイド手段を備えたことで、能力不足が発生した時には第一暖房手段１２を停止し、自動的に別系統の第二暖房手段１８を運転させて、暖房を継続することが出来るので、安価で効率の良い暖房が得られるものであり、しかも使用者に暖房が停止すると言う不安感を与えることがなく、常に安心して使用出来るものである。【選択図】　図１
2004011965.tif 000002
【特許請求の範囲】
【請求項１】
電気ヒ−タやヒ−トポンプユニットなどの熱源で加熱した温水を貯湯する貯湯タンクと、この貯湯タンク内の温水を直接或いは熱交換器を介して間接的に利用して暖房を行う第一暖房手段を構成したものに於いて、前記第一暖房手段とは別系統の第二暖房手段を備え、第一暖房手段の能力低下を検知して第二暖房手段を運転開始させるヘルプガイド手段を備えた事を特徴とする暖房装置。
【請求項２】
上記ヘルプガイド手段は、貯湯タンク内の温水の温度分布或いは第一暖房手段への温水の往き、戻り温度から暖房能力不足を判断する能力判断部と、能力判断部からの信号によって、第二暖房手段に運転開始信号を有線又は無線で送信する送信部と、この送信部からの運転開始信号を、有線又は無線で受信し第二暖房手段を運転開始させる該第二暖房手段に備えられた受信部とで構成された事を特徴とする請求項１記載の暖房装置。
【請求項３】
上記ヘルプガイド手段が作動して、第二暖房手段が運転を開始した時には、その旨を表示する表示手段を備えた事を特徴とする請求項１及び２記載の暖房装置。
【請求項４】
上記第二暖房手段は、エアコンで構成した事を特徴とする請求項１及び２記載の暖房装置。
【請求項５】
上記第二暖房手段は、ガス又は石油又は電気を燃料とする暖房器で構成した事を特徴とする請求項１及び２記載の暖房装置。
【請求項６】
上記第二暖房手段は、別系統の温水暖房装置で構成した事を特徴とする請求項１及び２記載の暖房装置。
【発明の詳細な説明】
【０００１】
【発明の属する技術分野】
この発明は電気温水器やヒ−ポン給湯機で沸かし上げた温水を利用した暖房で、能力不足が発生した時には、自動的に別系統の暖房に切り替えることが出来る暖房装置を提供する。
【０００２】
【従来の技術】
従来よりこの種のものに於いては、例えば特公昭５１−４３７０１号公報に開示されている如く、安価な深夜電力を利用して貯湯した温水を、冬季には暖房としても使用することで利用範囲を広げようとするものであった。
【０００３】
【発明が解決しようとする課題】
ところでこの従来のものでは、補助ヒ−タを備えたとしても暖房能力には限界が有り、暖房の進行によって貯湯タンク内の温水温度が低下してしまえば、暖房を継続出来ないと言う致命的な欠点を有し、如何にこの欠点を克服するかが大きな課題であった。
【０００４】
【問題点を解決するための手段】
この発明はこの点に着目し上記欠点を解決する為に、特にその構成を、電気ヒ−タやヒ−トポンプユニットなどの熱源で加熱した温水を貯湯する貯湯タンクと、この貯湯タンク内の温水を直接或いは熱交換器を介して間接的に利用して暖房を行う第一暖房手段を構成したものに於いて、前記第一暖房手段とは別系統の第二暖房手段を備え、第一暖房手段の能力低下を検知して第二暖房手段を運転開始させるヘルプガイド手段を備えたものである。
【０００５】
これにより、電気温水器やヒ−トポンプ給湯機の貯湯温水を利用した第一暖房手段による暖房時に、能力不足が発生した時には第一暖房手段を停止し、自動的に別系統の第二暖房手段を運転させて、暖房を継続することが出来るので、使用者に暖房が停止すると言う不安感を与えることがなく、常に安心して使用出来るものである。
【０００６】
又第一暖房手段から第二暖房手段への切り替え時に、この切り替えを表示手段で表示するようにすれば、どうして第一暖房手段が停止し第二暖房が運転開始したかを、使用者に知ることが出来、使用者に違和感や不信感を与えることがなく、極めて使用勝手が良いものである。
【０００７】
【発明の実施の形態】
次にこの発明に係る暖房装置を図１、２に示す一実施形態で説明する。
１は底部に給水管２を接続し、天部には台所等の適所に備えた給湯栓３と連通する給湯管４が接続した貯湯タンクで、ヒ−トポンプユニットから成る熱源５にヒ−ポン循環ポンプ６を有したヒ−ポン循環回路７を介して貯湯タンク１内の湯水を循環させて、高温水としこれを貯湯するものである。
【０００８】
前記熱源５であるヒ−トポンプユニットは、圧縮機（図示せず）、貯湯水との熱交換器８を構成する凝縮器、減圧器（図示せず）、蒸発器（図示せず）が順次接続されてヒ−トポンプ回路を構成したものである。
【０００９】
又ヒ−ポン循環回路７は、貯湯タンク１の底部に接続されたヒ−ポン往き管９及び、該貯湯タンク１の上部に接続されたヒ−ポン戻り管１０より構成され、貯湯タンク１下部の冷水をヒ−ポン往き管９を介して熱源５の熱交換器８で熱交換して加熱し、加熱された高温の温水をヒ−ポン戻り管１０を介して貯湯タンク１上部に戻して、該貯湯タンク１内に上から湯を貯湯していくものである。
【００１０】
１１は貯湯タンク１の外周面に縦に所定間隔をあけて複数個設けられた貯湯温度センサで、上から１１ａ、１１ｂ、１１ｃ、１１ｄとし、この貯湯温度センサ１１ａ〜ｄのうち上から何個目までが所定温度以上を検出しているかにより残りの貯湯量（蓄熱量）を検知するものであり、又この貯湯温度センサ１１ａ〜ｄの温度を検知することで今の貯湯タンク１内の温水の温度分布を判断する材料とするものである。
【００１１】
１２は床暖房装置から成る第一暖房手段で、貯湯タンク１内方上部に備えた暖房用熱交換器１３と、暖房循環ポンプ１４を有した暖房往き管１５及び暖房戻り管１６から成る暖房循環回路１７を介して連通し、熱媒体を循環させることで貯湯タンク１内の温水と熱交換して昇温し第一暖房手段１２を敷設した室内を暖房するものである。
【００１２】
１８は上記第一暖房手段１２と同一の室内に設置された暖房用のエアコンから成る第二暖房手段で、該第一暖房手段１２が貯湯タンク１内の温水温度の低下で暖房運転が継続出来なく成った時に、自動的に運転開始されて第一暖房手段１２に変わって室内の暖房を継続するものである。
【００１３】
１９は貯湯タンク１及び熱源５及び第一暖房手段１２を関連して制御するリモコン装置で、計時機能を有し安価な深夜電力を利用して熱源５及びヒ−ポン循環回路７を作動させて貯湯タンク１内に高温水を貯湯させると共に、貯湯温度センサ１１ａ〜ｄによる貯湯温水の給湯及び暖房用の熱量不足から能力不足を検知して、昼間でも熱源５及びヒ−ポン循環回路７を強制的に作動させて貯湯タンク１内に高温水を貯湯させるものである。
【００１４】
更にこのリモコン装置１９を図２に示す電気回路のブロック図で詳細に説明すれば、マイコンから成る能力判断部２０の入力側に、貯湯温度センサ１１ａ〜ｄと操作部２１が接続され、該貯湯温度センサ１１ａ〜ｄの検出温度から給湯及び暖房時の能力不足を判断し、出力側に接続されている暖房循環ポンプ１４の駆動停止させて、第一暖房手段１２による暖房運転を中断させると共に、上記したように出力側のヒ−ポン循環ポンプ６を駆動させて貯湯タンク１に暖房能力の補充を開始させるものである。
【００１５】
又能力判断部２０は上記の第一暖房手段１２による暖房の中断時には、出力側に接続された無線の送信部２２より運転開始信号を送信し、この信号を第二暖房手段１８に備えられた受信部２３で受信して該第二暖房手段１８を運転させて、暖房運転の継続を図るものであり、しかも能力判断部２０はこの暖房の切り替え状態を表示手段２４により文字及び音声等で表示させるものであり、この能力判断部２０及び送信部２２及び受信部２３でヘルプガイド手段２５を構成するものである。
【００１６】
次にこの一実施例の作動について説明する。
今安価な深夜電力を利用して蓄熱した貯湯タンク１の熱を暖房に使用するように、暖房循環ポンプ１４を駆動させれば、暖房用熱交換器１３で貯湯タンク１内の高温水と熱媒体とが熱交換し、この熱を床暖房である第一暖房手段１２で放熱すれば、極めて経済的で良好な暖房が行えるものである。
【００１７】
そしてこの第一暖房手段１２での暖房が継続し、貯湯タンク１内の湯温が低下し暖房能力不足になると、これをヘルプガイド手段２５の能力判断部２０が、貯湯温度センサ１１ａ〜ｄの検出温度で判断し第一暖房手段１２による暖房運転を一旦停止させる。
【００１８】
更に能力判断部２０は、ヒ−ポン循環ポンプ６を駆動させて貯湯タンク１に暖房能力の補充を開始させると共に、無線の送信部２２より運転開始信号を送信し、受信部２３を介して暖房用のエアコンである第二暖房手段１８を運転開始させるものである。
【００１９】
これによって、深夜電力を利用して沸き上げた温水による暖房時に、温水温度が低下して暖房能力不足に陥った時には、全く別系統の第二暖房手段１８を一時的に運転させることで、暖房を継続させることが出来、暖房が中断して使用者に不安感や不満感を与えることなく、使用勝手が良く安心して使用出来るものであり、又第一暖房手段１２が停止すると同時に熱源５及びヒ−ポン循環回路７が運転開始して、貯湯タンク１内の温水加熱による暖房能力の回復を図り、所定温度まで上昇すれば、再びヘルプガイド手段２５によって第二暖房手段１８による暖房から、第一暖房手段１２による暖房に切り替えられるものである。
【００２０】
更にこの第一暖房手段１２による暖房から、第二暖房手段１８による暖房への切り替え時には、例えば「暖房手段が切り替わりました。」と言う文字を表示手段２４が表示して、使用者に暖房手段が自動的に切り替えられたことを知らせることが出来、使用者に現状を的確に知らせて、不信感を与えることがなく常に安心して使用出来るものである。
【００２１】
次に図３、４に示すこの発明の他の実施例を説明するが、前記一実施例と同一部分には同一符号を付し、相違点のみを説明する。
第一暖房手段１２が放熱器２６と温風ファン２７から成るファンコンで構成され、この暖房往き管１５には往き温度センサ２８が備えられると共に、暖房戻り管１６には戻り温度センサ２９が備えられ、この往き温度センサ２８による往き温度或いは戻り温度センサ２９による戻り温度のどちらか一方の温度で、能力判断部２０は暖房能力不足を判断するものである。
【００２２】
又第二暖房手段１８は、石油を燃料とした強制給排気式の温風暖房器で構成されたものであり、更に送信部２２と受信部２３とは信号線で接続されており、暖房運転の開始信号は確実に伝わり、第二暖房手段１８の運転開始、停止がスム−ズに行われるものである。
【００２３】
従ってこの実施例では、第一暖房手段１２による暖房運転中に往き温度センサ２８で検出した温水の往き温度を、ヘルプガイド手段２５の能力判断部２０に入力し、この温度が低下して暖房能力不足であると判断した時には、暖房循環ポンプ１４及び温風ファン２７の通電を停止して第一暖房手段１２の暖房運転を停止し、送信部２２からの運転開始信号を信号線を介して受信部２３に送り、第二暖房手段１８の暖房運転を開始させるもので、同一の効果が得られるものである。
【００２４】
尚、この発明では第二暖房手段１８は、この他に別系統の温水暖房装置でも良く、第一暖房手段１２と完全に独立していれば、どのような暖房装置でも良いものである。
【００２５】
【発明の効果】
以上のようにこの発明によれば、電気温水器やヒ−トポンプ給湯機の貯湯温水を利用した第一暖房手段による暖房時に、能力不足が発生した時には第一暖房手段を停止し、自動的に別系統の第二暖房手段を運転させて、暖房を継続することが出来るので、安価で効率の良い暖房が得られるものであり、しかも使用者に暖房が停止すると言う不安感を与えることがなく、常に安心して使用出来るものである。
【００２６】
又第一暖房手段から第二暖房手段への切り替え時に、この切り替えを表示手段で表示するようにすれば、どうして第一暖房手段が停止し第二暖房が運転開始したかを、使用者に知ることが出来、使用者に違和感や不信感を与えることがなく、極めて使用勝手が良いものである。
【図面の簡単な説明】
【図１】この発明一実施例を付した暖房装置の概略構成図。
【図２】同要部電気回路のブロック図。
【図３】他の実施例を付した暖房装置の概略構成図。
【図４】図３の要部電気回路のブロック図。
【符号の説明】
１　貯湯タンク
５　熱源
１１ａ〜ｄ　貯湯温度センサ
１２　第一暖房手段
１３　暖房用熱交換器
１８　第二暖房手段
２０　能力判断部
２２　送信部
２３　受信部
２４　表示手段
２５　ヘルプガイド手段
【図１】
2004011965.tif 000003
【図２】
2004011965.tif 000004
【図３】
2004011965.tif 000005
【図４】
2004011965.tif 000006